(57)【要約】【課題】  複数のスイッチング電源部から相異なる電圧の電気を供給するスイッチング電源装置において、前記複数のスイッチング電源部の少なくとも一つから出力される電気の電圧又は／及び電流が予め設定した範囲を超えると、他のスイッチング電源部から出力の電気が予め設定した範囲内の正常なままでも、電圧の異なる複数電気の供給を受けるディバイス、装置等に支障の生じることがないことを目的とする。【解決手段】  スイッチング電源部３，４，５にそれぞれ供給する電気が予め設定した範囲を超えた電圧又は／電流の電気であるかを検出する過電流・過電圧検出部１６，２６，３６を備え、そのいずれか一つが前記範囲を超えたと検出するとその旨を制御部４２に伝え、制御部４２が制御部１８，２８，３８に対応するスイッチング部１３，２３，３３の機能を停止するように制御を行う。【選択図】  図１
2008160897.tif 000002
【特許請求の範囲】
【請求項１】
一次側電力入力部と、その一次側電力入力部にそれぞれ接続されて電力の供給を受け、スイッチング作用によって相異なる予め設定した電圧の電気を供給し、且つ、その供給する電気の電圧又は／及び電流が予め設定した範囲内か否かを検出する検出部がそれぞれ備えられた複数のスイッチング電源部を有してなるスイッチング電源装置において、
上記複数のスイッチング電源部の検出部の少なくとも一つが、供給すべき電気の電圧又は／及び電流が予め設定した範囲外であると判断すると、それら複数の全てのスイッチング電源部からの電気の供給を停止するように構成されたことを特徴とするスイッチング電源装置。
【請求項２】
上記複数のスイッチング電源部の検出部の少なくとも一つが、供給すべき電気の電圧又は／及び電流が予め設定した範囲外であると判断すると、その判断に基づいて全てのスイッチング電源部のスイッチング機能を停止させ、このことによって全てのスイッチング電源部から電気の供給を停止するように構成してなる請求項１に記載のスイッチング電源装置。
【請求項３】
上記複数のスイッチング電源部の検出部の少なくとも一つが供給すべき電気の電圧又は／及び電流が予め設定した範囲外であると判断すると、その判断に基づいて上記一次側電力入力部の電源スイッチがＯＦＦとなり、このことによって全てのスイッチング電源部から電気の供給を停止ように構成してなる請求項１に記載のスイッチング電源装置。
【発明の詳細な説明】
【技術分野】
【０００１】
この発明は、半導体スイッチをＯＮ／ＯＦＦさせることによって所望する値の電圧や電流の電気を出力するスイッチング電源装置に関し、特に、予め設定した相異なる複数の電圧の電気を供給し、且つ、その供給する電気の電圧又は／及び電流が予め設定した範囲の値を超えた際に、その電力供給対象の部品・装置に支障が生じないことへの改良に関する。
【背景技術】
【０００２】
スイッチング電源装置及び過電圧に対する保護手段については、以下の文献が知られている。
【０００３】
【特許文献１】特開平８−１６３８６６号公報
【特許文献２】特開平８−２５６４７４号公報
【発明の開示】
【発明が解決しようとする課題】
【０００４】
特開平８−１６３８６６号公報で開示されているスイッチング電源装置に特開平８−２５６４７４号公報で開示されている過電圧に対する保護手段の技術を組み合わせると、図２のブロック図で示されるスイッチング電源装置１ａに想到することができる。
図２に示すスイッチング電源装置１ａは、電力入力部２ａとスイッチング電源部３ａが備えられている。スイッチング電源部３ａは、トランス１２ａと、スイッチング手段１３ａと、電圧エラー検出部１５ａと、過電圧・過電流検出部１６ａを備えて構成されている。
【０００５】
トランス１２ａは、入力側において電力入力部２ａ及びスイッチング手段１３ａに接続され、出力側において整流平滑手段１４ａが接続されている。
スイッチング手段１３ａは、トランジスタ１７ａと、制御部１８ａと、アンプ１９ａを備えて構成されている。
【０００６】
トランジスタ１７ａは、トランス１２ａの入力側に接続され、スイッチング作用によってトランス１２ａにエネルギーの蓄積を行うものである。
アンプ１９ａは、電圧エラー検出部１５ａからの検出結果（電圧エラー）を示す信号を入力して所定のレベルに増幅し、制御部１８ａに送るものである。
【０００７】
制御部１８ａは、電圧エラー検出部１５ａから出力され、アンプ１９ａによって増幅された電圧エラーを示す信号を受け取ると、整流平滑手段１４ａから出力される電気の電圧が予め設定した値になるように制御を行うものである。
更に、制御部１８ａは、過電圧・過電流検出部１６ａからの制御信号を受けて、スイッチング手段１３ａからの電気の出力を停止させ、結果的に、トランス１２ａの二次側の電気の出力を停止するように制御を行うものである。
【０００８】
整流平滑手段１４ａは、ダイオード２０ａとコンデンサ２１ａを備えて構成され、トランス１２ａからの電気を整流し且つ平滑して出力するものである。
電圧エラー検出部１５ａは、整流平滑手段１４ａからの直流の電気の電圧が予め設定した電圧の範囲外である場合に、その旨を示す信号をアンプ１９ａに送って、整流平滑手段１４ａからの直流の電気の電圧が予め設定した範囲内の値となるように制御を行うためのものである。又、アンプ１９は、電圧エラー検出部１５からの信号を所定のレベルに増幅し、制御部１８に送るものである。
【０００９】
過電圧・過電流検出部１６ａは、整流平滑手段１４ａから出力され、電圧エラー検出部１５ａを介しての直流の電気の電流の値及び電圧の値が、その直流の電気の供給を受けるディバイス、装置等にとって支障が生じる限界範囲の値を超えたことを検出し、その旨を信号として制御部１８ａに送るものである。
制御部１８ａは、過電圧・過電流検出部１６ａにおいて電気が予め設定した範囲を超えた電圧及び電流を有している旨の信号を過電圧・過電流検出部１６ａから受け取ると、スイッチング手段１３ａの機能を停止させて、結果的に、トランス１２ａの二次側から電気の出力を停止させるように機能するものである。
【００１０】
ここで、スイッチング電源装置１ａにおいて部品に故障が生じたり、電力入力部２ａへの供給電力に問題が生じて二次側から供給される直流の電気の電圧又は／及び電流が予め設定している範囲を超えて異常な値となる場合には、過電圧・過電流検出部１６ａがこの電圧又は／及び電流の値の異常を検出してその旨の信号を制御部１８ａに送り、制御部１８ａは一次側に位置するスイッチング手段１３ａにスイッチング機能を停止させる。
よって、トランス１２ａは二次側に電気の供給を停止するので、過電圧・過電流検出部１６ａの後段に接続されているディバイス、装置類（但し、一つ）は、予め設定した範囲を超えた電圧又は／及び電流の電気が供給されないので、そのディバイス、装置類は破損などの不具合を起こすことはない。
【００１１】
処で、過電圧又は／及び過電流に対する保護手段を備えたスイッチング電源装置は、実際には、二次側から唯一つの電気を出力する構成は極めて少なく、通常、前段の電力入力部２ａに対して後段に所望する数の相異なる電圧・電流の電気を出力するスイッチング電源部をパラレルに接続して構成される電源装置として使用されることが多い。
つまり、一つのスイッチングによって得られる電気の電圧は唯一通りであるので、複数の相異なる電圧又は／及び電流の電気を所望する場合には、所望する相異なる電圧及び／電流の数だけスイッチング電源部を備える必要がある。
【００１２】
そこで、図２に示すスイッチング電源装置に基づいて、複数の相異なる電圧の電気を出力する装置として、図３に示すように、独立した複数のスイッチング電源部を備えて構成されたスイッチング電源装置１ｂが想到されることになる。
尚、スイッチング電源装置１ｂの各スイッチング電源部の各部の構成及びそれぞれの機能は、図２に示すスイッチング電源装置１ａと同じように構成される。
【００１３】
つまり、スイッチング電源装置１ｂにおいて、スイッチング電源部３ｂ，４ｂ，５ｂはそれぞれ互いに独立して構成され、且つ、スイッチング電源部３ｂの二次側に電圧エラー検出部１５ｂと過電圧・過電流検出部１６ｂが、スイッチング電源部４ｂの二次側に電圧エラー検出部２５ｂと過電圧・過電流検出部２６ｂが、スイッチング電源部５ｂの二次側に電圧エラー検出部３５ｂと過電圧・過電流検出部３６ｂがそれぞれ備えられている。
スイッチング電源部３ｂ，４ｂ，５ｂには、それぞれスイッチング手段１３ｂ，２３ｂ，３３ｂが備えられている。
【００１４】
又、スイッチング手段１３ｂに制御部１８ｂとアンプ１９ｂが、スイッチング手段２３ｂに制御部２８ｂとアンプ２９ｂが、スイッチング部３３ｂに制御部３８ｂとアンプ３９ｂが、それぞれ備えられている。
スイッチング電源装置から電力供給を受けて機能するディバイスや装置の中には、例えばある種のＩＣ装置のように、複数の相異なる電圧の電気の供給を必要とするものがある。
【００１５】
斯かる場合に対応して、必要とする相異なる電圧の数だけ電気を供給し得る複数個のスイッチング電源部を備えて構成されるスイッチング電源装置が有用になる。
そして、例えば、３個のスイッチング電源部３ｂ，４ｂ，５ｂを備えたスイッチング電源装置１ｂからＩＣ装置（図示省略）が電力供給を受けている際に、それら３個のスイッチング電源部３ｂ，４ｂ，５ｂのうちの一つに異常が生じて、予め設定した範囲内の電圧又は／及び電流を供給し、この正常ではない電気について対応するスイッチング手段が機能を停止して結果的にトランスの二次側で電気の供給が停止する。
【００１６】
しかし、斯かる場合において、他のスイッチング電源部においては、対応する過電圧・過電流検出部は入力される電気が予め設定した範囲内の電圧・電流であることから、対応するスイッチング手段が機能を停止することはなく、所定通りの電圧・電流の電気を前記ＩＣ装置の対応部に供給し続ける。
さて、ＩＣ装置の中には、全ての電気が所定通り（予め設定した範囲内）に供給されると所定通りに機能するが、一つの電気の供給が停止され且つ残りの部分に対応する電気が供給された場合に破損を生じるものがある。
【００１７】
又、斯かる特徴を持つＩＣ装置を含んで構成されている電気・電子装置において、そのＩＣ装置が破損して機能しないことによって、前記電気・電子装置全体がより一層多大なダメージを受ける場合も生じる。
この発明は、上記の事情に鑑みて為されたものであり、複数のスイッチング電源部を備えて相異なる複数の電圧・電流を供給するスイッチング電源装置において、前記複数のスイッチング電源部の少なくともいずれか一つが故障等によって、当該スイッチング電源部から出力される電気の電圧又は／及び電流が予め設定した範囲を超えた状態となり、且つ、他のスイッチング電源部から出力の電気が予め設定した範囲内の正常のままであっても、その電力供給を受けるディバイス、装置等に支障の生じることがないことを目的とする。
【課題を解決するための手段】
【００１８】
この発明は、複数のスイッチング電源部を備えて相異なる複数の電圧の電力を供給するスイッチング電源装置からディバイス、装置等が電気の供給を受けている際に、前記複数の電圧の電力のうち少なくとも一つが予め設定した範囲を超えた電圧又は／電流の電気を供給すると、全てのスイッチング電源部からの電力供給を停止するように構成したスイッチング電源装置である。
【００１９】
その詳細な構成は、一次側電力入力部と、その一次側電力入力部にそれぞれ接続されて電力の供給を受け、スイッチング作用によって相異なる予め設定した電圧の電気を供給し、且つ、その供給する電気の電圧又は／及び電流が予め設定した範囲内か否かを検出する検出部がそれぞれ備えられた複数のスイッチング電源部を有してなるスイッチング電源装置において、
上記複数のスイッチング電源部の検出部の少なくとも一つが、供給すべき電気の電圧又は／及び電流が予め設定した範囲外であると判断すると、それら複数の全てのスイッチング電源部からの電気の供給を停止するように構成されたことを特徴とするスイッチング電源装置である。
【００２０】
尚、スイッチング電源部からの電気の供給を停止させる具体的な構成として、上記複数のスイッチング電源部の検出部の少なくとも一つが、供給すべき電気の電圧又は／及び電流が予め設定した範囲外であると判断すると、その判断に基づいて全てのスイッチング電源部のスイッチング機能を停止させ、このことによって全てのスイッチング電源部から電気の供給を停止する構成、及び、上記複数のスイッチング電源部の検出部のの少なくとも一つが供給すべき電気の電圧又は／及び電流が予め設定した範囲外であると判断すると、その判断に基づいて上記一次側電力入力部の電源スイッチがＯＦＦとなり、このことによって全てのスイッチング電源部から電気の供給を停止する構成が挙げられる。
【発明の効果】
【００２１】
この発明は、複数のスイッチング電源部からの電気がうち少なくとも一つが予め設定した範囲の電圧又は／電流を超えていると検出すると、全てのスイッチング電源部からの電気の供給を停止するように構成したことにより、複数のスイッチング電源部のうちの少なくとも一つが予め設定した範囲内の正常な電気の供給を停止した場合に、残り全てのスイッチング電源部からの電気の供給が停止となり、複数の異なる電圧の電気の供給を受けて機能し且つその複数の異なる電圧の電気の少なくとも一つの供給が停止すると破損を生じるディバイス、装置等は全ての電気の供給を受けない状態になり、必要とする複数の電圧の電気の少なくとも一つの供給を受けないことによって生じる破損を回避させ得るスイッチング電源装置である。
【発明を実施するための最良の形態】
【００２２】
この発明を、図１に示す実施をするための最良の形態に基づき詳述する。しかし、これによって、この発明が限定されるものではない。
スイッチング電源装置１は、電力入力部２と、スイッチング電源部３，４，５が備えられている。スイッチング電源部３，４，５はそれぞれ、電力入力部２からの電力の供給によって、予め設定した電流であって、且つ、互いに相異なる電圧の電気を出力するものである。
【００２３】
電力入力部２は、ＡＣ電力入力部６と、スイッチ７と、ＡＣ電力入力部６からの交流電流を整流し平滑して出力するための整流器８及び平滑用コンデンサ９，１０，１１を備えて構成されている。
スイッチング電源部３は、トランス１２と、スイッチング手段１３と、整流平滑手段１４と、電圧エラー検出部１５と、過電圧・過電流検出部１６が備えられている。
【００２４】
トランス１２は、入力側において電力入力部２及びスイッチング手段１３に接続され、出力側において整流平滑手段１４が接続されている。
スイッチング手段１３は、トランジスタ１７と、制御部１８と、アンプ１９を備えて構成されている。
【００２５】
トランジスタ１７は、トランス１２の入力側に接続され、スイッチング作用によってトランス１２にエネルギーの蓄積を行うものである。
アンプ１９は、電圧エラー検出部１５からの検出結果（電圧エラー）を示す信号を入力して所定のレベルに増幅し、制御部１８に送るものである。
【００２６】
制御部１８は、電圧エラー検出部１５から出力され、アンプ１９によって増幅された電圧エラーを示す信号を受け取ると、整流平滑手段１４から出力される電気の電圧が予め設定した値になるように制御を行うものである。
更に、制御部１８は、スイッチング電源部５からの制御信号を受けて、整流平滑手段１４からの電気の出力を停止させるように制御を行うものである。これについては、後段で詳述する。
【００２７】
整流平滑手段１４は、ダイオード２０とコンデンサ２１を備えて構成され、トランス１２からの電気を整流し且つ平滑して出力するものである。
電圧エラー検出部１５は、整流平滑手段１４からの直流の電気の電圧が予め設定した電圧の範囲外である場合に、つまり、電圧エラーが生じた場合に、その旨の信号をアンプ１９に送って、整流平滑手段１４からの直流の電気の電圧が予め設定した範囲内の値となるように制御を行うためのものである。
【００２８】
過電圧・過電流検出部１６は、整流平滑手段１４からの直流電気の電流の値及び電圧の値が、その直流電気の供給を受けるディバイス、装置等にとって支障が生じる限界範囲の値を超えたことを検出し、その旨を信号として出力するものである。
ここで、「支障が生じる限界範囲の値を超える」とは、電流の値又は／及び電圧の値がその範囲を超えた場合は勿論、その値より小さくて到らない場合を含むことを意味する。
【００２９】
スイッチング電源部４は、機能的及び構成的に、スイッチング電源部３と同じ内容である。つまり、スイッチング電源部４は、トランス２２と、スイッチング手段２３と、整流平滑手段２４と、電圧エラー検出部２５と、過電圧・過電流検出部２６が備えられている。
トランス２２は、入力側において電力入力部２及びスイッチング手段２３に接続され、出力側において整流平滑手段２４が接続されている。
【００３０】
スイッチング手段２３は、トランジスタ２７と、制御部２８と、アンプ２９を備えて構成されている。
トランジスタ２７は、トランス２２の入力側に接続され、スイッチング作用によってトランス２２にエネルギーの蓄積を行うものである。
【００３１】
アンプ２９は、アンプ１９と電圧エラー検出部１５の関係と同様に、電圧エラー検出部２５からの信号を入力して所定のレベルに増幅し、制御部２８に送るものである。
制御部２８は、電圧エラー検出部２５から出力され、アンプ２９によって増幅された電圧エラーを示す信号を受け取ると、整流平滑手段２４から出力される電気の電圧が予め設定した値に調整されるように制御を行うものである。
【００３２】
更に、制御部２８は、スイッチング電源部５からの制御信号を受けて、整流平滑手段２４からの電気の出力を停止させるように制御を行うものである。これについては、後段で詳述する。
整流平滑手段２４は、ダイオード３０とコンデンサ３１を備えて構成され、トランス２２からの電流を整流し且つ平滑して出力するものである。
【００３３】
電圧エラー検出部２５は、整流平滑手段２４からの直流電流の電圧が予め設定した電圧の範囲外である場合に、その旨の信号をアンプ２９に送って、整流平滑手段２４からの直流電流の電圧が予め設定した範囲内の値となるように制御を行うためのものである。
過電圧・過電流検出部２６は、整流平滑手段２４からの直流電気の電流の値及び電圧の値が、その直流電気の供給を受けるディバイス、装置等にとって支障が生じる限界範囲の値を超えたことを検出し、その旨を信号として出力するものである。
【００３４】
ここで、「支障が生じる限界範囲の値を超える」とは、電流の値又は／及び電圧の値がその範囲を超えた場合は勿論、その値より小さくて到らない場合を含むことを意味する。
スイッチング電源部５は、機能的及び構成的に、スイッチング電源部３と共通の内容を含んでいる。つまり、スイッチング電源部５は、トランス３２と、スイッチング手段３３と、整流平滑手段３４と、電圧エラー検出手段３５と、過電圧・過電流検出手段３６が備えられている。
【００３５】
トランス３２は、入力側において電力入力部２及びスイッチング手段３３に接続され、出力側において整流平滑手段３４が接続されている。
スイッチング手段３３は、トランジスタ３７と、制御手段３８と、アンプ３９を備えて構成されている。
【００３６】
トランジスタ３７は、トランス３２の入力側に接続され、スイッチング作用によってトランス３２にエネルギーの蓄積を行うものである。
アンプ３９は、アンプ１９と電圧エラー検出部１５の関係と同様に、電圧エラー検出手段３５からの信号を入力して所定のレベルに増幅し、制御手段３８に送るものである。
【００３７】
制御部３８は、電圧エラー検出部３５から出力され、アンプ３９によって増幅された電圧エラーを示す信号を受け取ると、整流平滑手段３４から出力される電気の電圧が予め設定した値になるように制御を行うものである。
更に、制御部３８は、スイッチング電源部３、スイッチング電源部４及びスイッチング電源部５の少なくとも一つから制御信号を受けると、結果的に、整流平滑手段１４、整流平滑手段２４及び整流平滑手段３４からの全ての電気の出力を停止させるように制御を行うものである。その構成及び作用については、後段で詳述する。
【００３８】
整流平滑手段３４は、ダイオード４０とコンデンサ４１を備えて構成され、トランス３２からの電流を整流し且つ平滑して出力するものである。
電圧エラー検出部３５は、整流平滑手段３４からの直流電流の電圧が予め設定した電圧の範囲外である場合に、その旨の信号をアンプ３９に送って、整流平滑手段３４からの直流電流の電圧が予め設定した範囲内の値となるように制御を行うためのものである。
【００３９】
過電圧・過電流検出部３６は、整流平滑手段３４からの直流電気の電流の値及び電圧の値が、その直流電気の供給を受けるディバイス、装置等にとって支障が生じる限界範囲の値を超えたことを検出し、その旨を信号として出力するものである。
ここで、「支障が生じる限界範囲の値を超える」とは、電流の値又は／及び電圧の値がその範囲を超えた場合は勿論、その値より小さくて到らない場合を含むことを意味する。
【００４０】
スイッチング電源部５は、制御部３８についての説明で一部を紹介したが、スイッチング電源部３，４，５の少なくともいずれか一つにおいて各出力電気の電圧若しくは電流が予め設定した範囲を超えた際に、スイッチング電源部３，４，５からの全ての電気の出力を停止させるための手段が備えられている。
つまり、スイッチング電源部５には、スイッチング電源部３の過電圧・過電流検出部１６、スイッチング電源部４の過電圧・過電流検出部２６及びスイッチング電源部５の過電圧・過電流検出部３６から、それぞれの限界範囲を超えた旨の信号を受けて制御部３８に出力停止の制御信号を出力する制御部４２と、過電圧・過電流検出部３６がその限界範囲を超えたと検出すると、スイッチング電源部３の制御部１８及びスイッチング電源部４の制御部２８に出力停止の制御信号を伝える信号経路が備えられている。
【００４１】
そして、制御部４２は、上記の限界範囲を超えた旨の信号を受けると、制御部３８にスイッチング手段３３の機能を停止させて、結果的に、トランス３２の二次側からの直流電気の供給を停止させるように機能する構成になっている。
又、スイッチング電源部３の制御部１８及びスイッチング電源部４の制御部２８は、上記信号経路を介して過電圧・過電流検出部３６から上記信号を受けると、それぞれ、制御部１８，２８にスイッチング手段１３，２３の機能を停止させて、結果的に、トランス１２，２２の二次側からの直流電気の供給を停止させるように機能する構成になっている。
【００４２】
スイッチング電源装置１は、上述した構成になっている。以下において、スイッチング電源装置１の機能について、説明する。
ユーザーは、スイッチング電源装置１のスイッチング電源部３，４，５の電力供給端子を、それぞれのスイッチング電源部から電力供給を受けるべきディバイス、装置等に接続する。次に、電力入力部２のＡＣ電力入力部６を家庭電源に接続し、スイッチ７をＯＮにする。
【００４３】
ここで、電力入力部２は、整流器８及び平滑用コンデンサ９，１０，１１によって整流して平滑した電力を、スイッチング電源部３，４及び５に供給する。
スイッチング電源部３，４及び５はそれぞれ、スイッチング手段１３，２３及び３３とトランス１２，２２及び３２が共同して、各トランスの二次側から電気を出力する。この時の電気の電圧及び電流はそれぞれ、予め設定した値となっている。
【００４４】
トランス１２，２２及び３２の各二次側から出力された電気（電力？）はそれぞれ、整流平滑手段１４，２４及び３４によって整流・平滑されて、電圧エラー検出部１５，２５及び３５に送られる。
電圧エラー検出部１５，２５及び３５はそれぞれ、整流平滑手段１４，２４及び３４からの電気の電圧の値が予め設定した電圧の範囲内にあるか否かを検出し、予め設定した電圧の範囲外であると判定した場合にはその旨の信号をアンプ１９，２９及び３９に送って、整流平滑手段１４，２４及び３４からの直流の電気の電圧が予め設定した範囲内の値となるように制御を行う。
【００４５】
整流平滑手段１４，２４及び３４からそれぞれ出力され電圧エラー検出部１５，２５及び３５を介しての直流の電気は、その後段に接続されている過電圧・過電流検出部１６，２６及び３６に送られる。
過電圧・過電流検出部１６，２６及び３６はそれぞれ、送られて来た直流の電気の電圧及び電流の値が予め設定した範囲内にあるか否かを検出する。
【００４６】
ここで、過電圧・過電流検出部１６，２６及び３６はそれぞれ、送られて来た直流の電気の電圧及び電流の値が予め設定した範囲内にある場合には、電圧及び電流がその値のまま供給すべき電気として出力する。
スイッチング電源部３，４及び５にそれぞれ接続されている上記のディバイス、装置等は、当該スイッチング電源部３，４及び５から上記の予め設定した範囲内にある電圧及び電流の電気の供給を受けて、作動を始める。
【００４７】
他方、過電圧・過電流検出部１６，２６及び３６の少なくとも一つが、送られて来た直流の電気の電圧と電流の値の少なくともどちらかが予め設定した範囲外にある場合には、このままではその電圧値及び電流値の電気の供給を受けている上記ディバイス、装置等に支障が生じ、最終的には破損する場合もありうる。
しかし、スイッチング電源装置１は、斯かる事態を回避するように機能する。
つまり、例えば、スイッチング電源部３において、過電圧・過電流検出部１６は、二次出力側から入力される電気を連続的に検出し、その電圧と電流の少なくとも一つが予め設定した範囲の外であると判断（検出）すると、この判断結果に基づいて、制御部４２にスイッチング電源部５から電気の出力が停止させるための制御信号を送る。
【００４８】
制御部４２は、過電圧・過電流検出部１６から上記の制御信号を受け取ると、スイッチング手段３３の機能を停止させ、結果的に、スイッチング電源部５の出力、つまり、トランス３２からの二次側の出力を停止させるための制御信号を制御部３８に送る。
ここで、制御部３８は、制御部４２からの上記制御信号を受け取ると、スイッチング手
段３３のスイッチング作用を停止させる。
【００４９】
スイッチング電源部５では、スイッチング手段３３のスイッチング作用が停止することによって、トランス３２の二次側から電気の供給が停止し、過電圧・過電流検出部３６は電気が入力されないことから、送られて来る電気の電圧及び電流が予め設定した範囲の外にあるということを検出し、その旨をスイッチング電源部３の制御部１８及びスイッチング電源部４の制御部２８に信号で送る。
ここで、スイッチング電源部３の制御部１８は、スイッチング電源部５の過電圧・過電流検出部３６からの上記信号を受けて、スイッチング手段１３のスイッチング作用を停止させる。よって、トランス１２の二次側から電気の供給は停止する。
【００５０】
スイッチング電源部５の過電圧・過電流検出部３６が、スイッチング電源部４の制御部２８に、スイッチング電源部３の制御部１８に送ったと同じ信号を送っているので、スイッチング電源部４の制御部２８は、スイッチング手段２３のスイッチング作用を停止させる。
ここで、トランス２２の二次側から電気の供給は停止して、スイッチング電源装置１からの電気の供給は全て停止することになる。
【００５１】
従って、スイッチング電源装置１から、例えばＩＣ装置がスイッチング電源部３及びスイッチング電源部５から電気の供給を受けて作動している場合に、スイッチング電源部３から供給され電気の電圧・電流が予め設定した範囲外となって供給が停止すると、上述したように、スイッチング電源部５からの電気の供給も停止されるので、当該ＩＣへの電気の供給が全く停止されることになり、一つの電気の供給が停止し且つ他の電気が供給されることによって生じる破損などのトラブルは起こることがない。
又、スイッチング電源部４において過電圧・過電流検出部２６が入力されて来る検出対象の電気の電圧又は／及び電流の値が予め設定した範囲の外であると判断すると、上述のスイッチング電源部３の場合と同様に、過電圧・過電流検出部２６は制御部４２にスイッチング電源部５から電気の出力が停止させるための制御信号を送り、結果的に、スイッチング電源部３，４及び５は電気の供給を全て停止する。
【００５２】
よって、スイッチング電源装置１から電圧の異なる複数の電気の供給を受けて機能している装置類は、一つの電気の供給が停止し且つ他の電気が供給されることによって生じる破損などのトラブルは起こることがない。
更に、スイッチング電源部５において、過電圧・過電流検出部３６は、入力されて来る検出対象の電気の電圧又は／及び電流の値が予め設定した範囲の外であると判断すると、制御部３８に働き掛けてスイッチング電源部５から電気の出力が停止させるための制御信号を制御部４２に送る。
【００５３】
ここで、制御部３８は、制御部４２からの制御信号を受けて、スイッチング手段３３の作用を停止させるので、結果的に、トランス３２の二次側から電気が供給されることはない。
スイッチング電源部５の過電圧・過電流検出部３６は、トランス３２の二次側からの電気の供給が停止されて０の値であるので、予め設定した値の範囲の外であると判断して、スイッチング電源部３の制御部１８及びスイッチング電源部４の制御部２８に、スイッチング作用を停止するための制御信号を送る。
【００５４】
ここで、上述したように、過電圧・過電流検出部３６が制御部１８及び制御部２８にスイッチング作用の停止の制御信号を送ると、スイッチング電源部３及びスイッチング電源部４は電気の供給を停止する。
従って、スイッチング電源部５において、供給すべき電気の電圧と電流の少なくとも一つが予め設定した範囲の外であると判断された場合には、スイッチング電源部５からの電気の供給のみならず、スイッチング電源部３及びスイッチング電源部４からの電気の供給も停止することになる。
【００５５】
よって、スイッチング電源装置１から電圧の相異なる二つ以上の電気の供給を受けて機能するディバイス、装置等は、それら二つ以上の電気の一つの電圧及び／又は電流が予め設定した範囲外になった際にその電気と他の電気も供給されなくなるので、一つの電気の供給が停止し且つ他の電気が供給されることによって生じる破損などのトラブルは起こることがない。
スイッチング電源装置１は、電圧・電流が相異なる三つの電気を供給する構成になっているが、電気を供給するディバイス、装置等の必要とする電気の種類の数に合わせて、適宜、スイッチング電源部の数を設定するのがよい。
【００５６】
又、過電流・過電圧検出部１６，２６，３６の予め設定した範囲は、電気を供給するディバイス、装置等の耐電流・耐電圧に合わせて、適宜設定するのがよい。
更に、スイッチング電源装置１は、スイッチング電源部３に電圧エラー検出部１５、スイッチング電源部４に電圧エラー検出部２５及びスイッチング電源部５に電圧エラー検出部３５がそれぞれ予め設定した電圧の範囲を超えた際に対応する制御部にその範囲を超えた旨の信号を出力するが、それぞれの予め設定した電圧の範囲は制御が可能な値であればよく、スイッチング電源部３，４，５の対応する過電流・過電圧検出部の予め設定した電圧と同じであってもよく異なっていてもよい。
【００５７】
加えて、スイッチング電源装置１は、電圧エラー検出部１５、電圧エラー検出部２５及び電圧エラー検出部３５が具備されているが、装置全体の構成に簡便化を求める場合等には取り除いた構成であってもよい。
スイッチング電源装置１は、上述したように、スイッチング電源部３の過電流・過電圧検出部１６、スイッチング電源部４の過電流・過電圧検出部２６及びスイッチング電源部５の過電流・過電圧検出部３６の少なくともいずれかにおいて予め設定した範囲の電流又は／電圧を超えたと検出されると、制御部４２がスイッチング電源部５の二次側の出力を停止させ、更に、残りのスイッチング電源部の二次側の出力を停止させて、結果的に、全てのスイッチング電源部の二次側の出力を停止させる構成であるが、これに加えて、各スイッチング電源部３，４，５のそれぞれの過電流・過電圧検出部１６，２６，３６とスイッチ７を接続し、且つ、スイッチ７をリレー式スイッチとすることによって、過電流・過電圧検出部１６，２６，３６のいずれからの予め設定した範囲を超えた過電流・過電圧を示す信号に基づいてスイッチ７がＯＦＦとなって、電力入力部２からスイッチング電源部３，４，５への電気の供給が停止する構成が挙げられる。
【図面の簡単な説明】
【００５８】
【図１】この発明を実施するための最良の形態の構成を説明するブロック図である。
【図２】特許文献に基づいて想到し得る、出力の電気の電圧が一通りである場合の図１相当図である。
【図３】特許文献に基づいて想到し得る、出力の電気の電圧が三通りである場合の図１相当図である。
【符号の説明】
【００５９】
１                        ：スイッチング電源装置
２                        ：電力入力部
３，４，５                ：スイッチング電源部
８                        ：整流器
９，１０，１１            ：平滑用コンデンサ
１２，２２．３２          ：トランス
１３，２３，３３          ：スイッチング手段
１５，２５，３５          ：電圧エラー検出部
１６，２６，３６          ：過電圧・過電流検出部
１８，２８，３８，４２    ：制御部
【図１】
2008160897.tif 000003
【図２】
2008160897.tif 000004
【図３】
2008160897.tif 000005